【事件の表示】
　特願２００２−１７８４７３「広告用デザイン募集装置、広告用デザイン募集方法、及び広告用デザイン募集処理プログラム」拒絶査定不服審判事件〔平成１６年　１月２２日出願公開、特開２００４−　２１７９８〕について、次のとおり審決する。
【結　論】
　本件審判の請求は、成り立たない。
【理　由】
１．手続の経緯  
　本願は、平成１４年６月１９日の出願であって、平成１８年１０月３０日付けの拒絶理由通知に対して平成１９年１月９日に意見書の提出とともに手続補正がなされたが、平成１９年２月２日付けで拒絶査定がなされ、これに対して平成１９年３月８日に拒絶査定に対する審判請求がなされるとともに平成１９年４月９日に手続補正がなされ、平成２１年５月１２日付けの当審の審尋に対して平成２１年５月２９日に回答がなされたものである。
　　  
２．平成１９年４月９日の手続補正についての補正却下の決定  
　　  
　［補正却下の決定の結論］  
　　平成１９年４月９日の手続補正を却下する。  
　　  
　［理由］  
（１）本件補正について  
　平成１９年４月９日の手続補正（以下「本件補正」という。）により、特許請求の範囲は以下のとおり補正された。
　（下線部は、補正の箇所を示すものとして審判請求人が付したものを参酌して、さらに当審で付加したものである。）  
　　
≪本件補正後の特許請求の範囲≫ 
「　　【請求項１】　複数の端末がネットワークを介して接続され、広告主により提供される広告用着衣の表面に表示されるデザイン画像を募集する広告用デザイン募集装置であって、
　前記広告主から提供された広告コンセプト及び当該広告コンセプトに合うデザイン画像の募集を示す募集情報を、前記ネットワークを介して前記複数の端末に対して送信する募集情報送信手段と、
　前記募集情報を受信した前記複数の端末の夫々の使用者により指定された前記広告コンセプトに合うデザイン画像であって、当該複数の端末から前記ネットワークを介して送信された前記デザイン画像を受信するデザイン画像受信手段と、
　前記受信された複数のデザイン画像をデータベースに登録するデザイン画像登録手段と、
　前記データベースに登録された複数のデザイン画像及び当該複数のデザイン画像のうち何れかのデザイン画像の投票を促す第１投票促し情報を、前記ネットワークを介して前記複数の端末に対して送信する第１投票促し情報送信手段と、
　前記第１投票促し情報を受信した前記複数の端末の夫々の使用者により指定されたデザイン画像の投票を示す第１投票情報であって、当該複数の端末から前記ネットワークを介して送信された前記第１投票情報を受信する第１投票情報受信手段と、
　前記第１投票情報を受信する度に、当該第１投票情報に示される投票に係るデザイン画像に対応付けて、予め設定されたポイント数を前記データベースに登録
し、当該第１投票情報を送信した端末が予め設定した特定の端末である場合には当該特定の端末以外から前記第１投票情報を受信した時よりも高いポイント数を当該第１投票情報に示される投票に係るデザイン画像に対応付けて前記データベースに登録
　前記第１ポイント登録手段により登録されたポイント数を前記デザイン画像毎に集計し、当該集計結果に基づいて、前記登録された複数のデザイン画像のうちから所定数のデザイン画像に絞り込むデザイン画像絞込手段と、
　前記絞り込まれた所定数のデザイン画像及び当該所定数のデザイン画像のうち何れかのデザイン画像の投票を促す第２投票促し情報を、前記ネットワークを介して前記複数の端末に対して送信する第２投票促し情報送信手段と、
　前記第２投票促し情報を受信した前記複数の端末の夫々の使用者により指定されたデザイン画像の投票を示す第２投票情報であって、当該複数の端末から前記ネットワークを介して送信された前記第２投票情報を受信する第２投票情報受信手段と、
　前記第２投票情報を受信する度に、当該第２投票情報に示される投票に係るデザイン画像に対応付けて、予め設定されたポイント数を前記データベースに登録
し、当該第２投票情報を送信した端末が予め設定した特定の端末である場合には当該特定の端末以外から前記第２投票情報を受信した時よりも高いポイント数を当該第２投票情報に示される投票に係るデザイン画像に対応付けて前記データベースに登録
　前記第２ポイント登録手段により登録されたポイント数を前記デザイン画像毎に集計し、当該集計結果に基づいて、前記広告用着衣の表面に表示されるべきデザイン画像を決定するデザイン画像決定手段と、
　を備えることを特徴とする広告用デザイン募集装置。
　　【請求項２】
　前
　前記第２投票促し情報送信手段は、前記ランキングに示された所定数のデザイン画像及び当該所定数のデザイン画像のうち何れかのデザイン画像の投票を促す第２投票促し情報を、前記ネットワークを介して前記複数の端末に対して送信することを特徴とする
請求項１記載の
　　【請求項
３】　前
　前記第３投票促し情報を受信した前記複数の端末の夫々の使用者により指定されたデザイン画像の投票を示す第３投票情報であって、当該複数の端末から前記ネットワークを介して送信された前記第３投票情報を受信する第３投票情報受信手段と、
　前記第３投票情報を受信する度に、当該第３投票情報に示される投票に係るデザイン画像に対応付けて、予め設定されたポイント数を前記データベースに登録
し、当該第３投票情報を送信した端末が予め設定した特定の端末である場合には当該特定の端末以外から前記第３投票情報を受信した時よりも高いポイント数を当該第３投票情報に示される投票に係るデザイン画像に対応付けて前記データベースに登録
　前記第３ポイント登録手段により登録されたポイント数を前記デザイン画像毎に集計し、当該集計結果に基づいて、前記決定されたデザイン画像の色彩及び／又は模様を決定するデザイン色彩・模様決定手段と、
　を更に備えることを特徴とする
請求項１または２記載の
　　【請求項
４】　前
　前記第４投票促し情報を受信した前記複数の端末の夫々の使用者により指定された広告用着衣画像の投票を示す第４投票情報であって、当該複数の端末から前記ネットワークを介して送信された前記第４投票情報を受信する第４投票情報受信手段と、
　前記第４投票情報を受信する度に、当該第４投票情報に示される投票に係る広告用着衣画像におけるデザイン画像に対応付けて、予め設定されたポイント数を前記データベースに登録
し、当該第４投票情報を送信した端末が予め設定した特定の端末である場合には当該特定の端末以外から前記第４投票情報を受信した時よりも高いポイント数を当該第４投票情報に示される投票に係るデザイン画像に対応付けて前記データベースに登録
　前記第４ポイント登録手段により登録されたポイント数を前記デザイン画像毎に集計し、当該集計結果に基づいて、前記決定されたデザイン画像の前記広告用着衣における位置及び／又は大きさを決定するデザイン位置・大きさ決定手段と、
　を更に備えることを特徴とする
請求項１乃至３のいずれかに記載の
　　【請求項
５】　前
　前記使用募集情報を受信した前記複数の端末のうちの何れかの端末から前記ネットワークを介して送信された前記デザイン画像の使用の希望を示す使用希望情報を受信する使用希望情報受信手段と、
　前記使用希望情報が受信された場合には、前記ネットワークに接続された広告主の端末に対して当該デザイン画像の使用の希望があったことを示す情報を通知するデザイン使用希望通知手段と、
　を更に備えることを特徴とする
請求項１乃至４のいずれかに記載の
　　【請求項
６
　前記広告主から提供された広告コンセプト及び当該広告コンセプトに合うデザイン画像の募集を示す募集情報を、前記ネットワークを介して前記複数の端末に対して送信する募集情報送信手段、
　前記募集情報を受信した前記複数の端末の夫々の使用者により指定された前記広告コンセプトに合うデザイン画像であって、当該複数の端末から前記ネットワークを介して送信された前記デザイン画像を受信するデザイン画像受信手段、
　前記受信された複数のデザイン画像をデータベースに登録するデザイン画像登録手段、
　前記データベースに登録された複数のデザイン画像及び当該複数のデザイン画像のうち何れかのデザイン画像の投票を促す第１投票促し情報を、前記ネットワークを介して前記複数の端末に対して送信する第１投票促し情報送信手段、
　前記第１投票促し情報を受信した前記複数の端末の夫々の使用者により指定されたデザイン画像の投票を示す第１投票情報であって、当該複数の端末から前記ネットワークを介して送信された前記第１投票情報を受信する第１投票情報受信手段、
　前記第１投票情報を受信する度に、当該第１投票情報に示される投票に係るデザイン画像に対応付けて、予め設定されたポイント数を前記データベースに登録
し、当該第１投票情報を送信した端末が予め設定した特定の端末である場合には当該特定の端末以外から前記第１投票情報を受信した時よりも高いポイント数を当該第１投票情報に示される投票に係るデザイン画像に対応付けて前記データベースに登録
　前記第１ポイント登録手段により登録されたポイント数を前記デザイン画像毎に集計し、当該集計結果に基づいて、前記登録された複数のデザイン画像のうちから所定数のデザイン画像に絞り込むデザイン画像絞込手段、
　前記絞り込まれた所定数のデザイン画像及び当該所定数のデザイン画像のうち何れかのデザイン画像の投票を促す第２投票促し情報を、前記ネットワークを介して前記複数の端末に対して送信する第２投票促し情報送信手段、
　前記第２投票促し情報を受信した前記複数の端末の夫々の使用者により指定されたデザイン画像の投票を示す第２投票情報であって、当該複数の端末から前記ネットワークを介して送信された前記第２投票情報を受信する第２投票情報受信手段、
　前記第２投票情報を受信する度に、当該第２投票情報に示される投票に係るデザイン画像に対応付けて、予め設定されたポイント数を前記データベースに登録
し、当該第２投票情報を送信した端末が予め設定した特定の端末である場合には当該特定の端末以外から前記第２投票情報を受信した時よりも高いポイント数を当該第２投票情報に示される投票に係るデザイン画像に対応付けて前記データベースに登録
　　
　　
≪本件補正前の特許請求の範囲≫ 
　　
「　　【請求項１】　複数の端末がネットワークを介して接続され、広告主により提供される広告用着衣の表面に表示されるデザイン画像を募集する広告用デザイン募集装置であって、
　前記広告主から提供された広告コンセプト及び当該広告コンセプトに合うデザイン画像の募集を示す募集情報を、前記ネットワークを介して前記複数の端末に対して送信する募集情報送信手段と、
　前記募集情報を受信した前記複数の端末の夫々の使用者により指定された前記広告コンセプトに合うデザイン画像であって、当該複数の端末から前記ネットワークを介して送信された前記デザイン画像を受信するデザイン画像受信手段と、
　前記受信された複数のデザイン画像をデータベースに登録するデザイン画像登録手段と、
　前記データベースに登録された複数のデザイン画像及び当該複数のデザイン画像のうち何れかのデザイン画像の投票を促す第１投票促し情報を、前記ネットワークを介して前記複数の端末に対して送信する第１投票促し情報送信手段と、
　前記第１投票促し情報を受信した前記複数の端末の夫々の使用者により指定されたデザイン画像の投票を示す第１投票情報であって、当該複数の端末から前記ネットワークを介して送信された前記第１投票情報を受信する第１投票情報受信手段と、
　前記第１投票情報を受信する度に、当該第１投票情報に示される投票に係るデザイン画像に対応付けて、予め設定されたポイント数を前記データベースに登録する第１ポイント登録手段と、
　前記第１ポイント登録手段により登録されたポイント数を前記デザイン画像毎に集計し、当該集計結果に基づいて、前記登録された複数のデザイン画像のうちから所定数のデザイン画像に絞り込むデザイン画像絞込手段と、
　前記絞り込まれた所定数のデザイン画像及び当該所定数のデザイン画像のうち何れかのデザイン画像の投票を促す第２投票促し情報を、前記ネットワークを介して前記複数の端末に対して送信する第２投票促し情報送信手段と、
　前記第２投票促し情報を受信した前記複数の端末の夫々の使用者により指定されたデザイン画像の投票を示す第２投票情報であって、当該複数の端末から前記ネットワークを介して送信された前記第２投票情報を受信する第２投票情報受信手段と、
　前記第２投票情報を受信する度に、当該第２投票情報に示される投票に係るデザイン画像に対応付けて、予め設定されたポイント数を前記データベースに登録する第２ポイント登録手段と、
　前記第２ポイント登録手段により登録されたポイント数を前記デザイン画像毎に集計し、当該集計結果に基づいて、前記広告用着衣の表面に表示されるべきデザイン画像を決定するデザイン画像決定手段と、
　を備えることを特徴とする広告用デザイン募集装置。
　　【請求項２】　請求項１に記載の広告用デザイン募集装置において、
　前記第１ポイント登録手段により登録されたポイント数を前記デザイン画像毎に集計し、当該集計結果に基づいて、前記登録された複数のデザイン画像の人気度を示すランキングを決定するランキング決定手段を更に備え、
　前記第２投票促し情報送信手段は、前記ランキングに示された所定数のデザイン画像及び当該所定数のデザイン画像のうち何れかのデザイン画像の投票を促す第２投票促し情報を、前記ネットワークを介して前記複数の端末に対して送信することを特徴とする広告用デザイン募集装置。
　　【請求項３】　請求項１又は２に記載の広告用デザイン募集装置において、
　前記第１投票情報を送信した端末が予め設定された特定の端末であるか否かを判断する端末判断手段を更に備え、
　
前記第１ポイント登録手段は、前記端末判断手段により特定の端末であると判断された場合には、前記特定の端末以外から前記第１投票情報が受信されたときよりも高いポイント数を、当該第１投票情報に示される投票に係るデザイン画像に対応付けて前記データベースに登録する
　　【請求項４】　請求項１乃至３の何れか一項に記載の広告用デザイン募集装置において、
　前記デザイン画像決定手段により決定されたデザイン画像に対して夫々異なった色彩及び／又は模様が施された複数のデザイン画像及び当該複数のデザイン画像のうち何れかのデザイン画像の投票を促す第３投票促し情報を、前記ネットワークを介して前記複数の端末に対して送信する第３投票促し情報送信手段と、
　前記第３投票促し情報を受信した前記複数の端末の夫々の使用者により指定されたデザイン画像の投票を示す第３投票情報であって、当該複数の端末から前記ネットワークを介して送信された前記第３投票情報を受信する第３投票情報受信手段と、
　前記第３投票情報を受信する度に、当該第３投票情報に示される投票に係るデザイン画像に対応付けて、予め設定されたポイント数を前記データベースに登録する第３ポイント登録手段と、
　前記第３ポイント登録手段により登録されたポイント数を前記デザイン画像毎に集計し、当該集計結果に基づいて、前記決定されたデザイン画像の色彩及び／又は模様を決定するデザイン色彩・模様決定手段と、
　を更に備えることを特徴とする広告用デザイン募集装置。
　　【請求項５】　請求項１乃至４の何れか一項に記載の広告用デザイン募集装置において、
　前記広告用着衣の表面に対して夫々異なった位置及び／又は大きさにて前記決定されたデザイン画像が表示された複数の広告用着衣画像及び当該複数の広告用着衣画像のうち何れかの広告用着衣画像の投票を促す第４投票促し情報を、前記ネットワークを介して前記複数の端末に対して送信する第４投票促し情報送信手段と、
　前記第４投票促し情報を受信した前記複数の端末の夫々の使用者により指定された広告用着衣画像の投票を示す第４投票情報であって、当該複数の端末から前記ネットワークを介して送信された前記第４投票情報を受信する第３投票情報受信手段と、
　前記第４投票情報を受信する度に、当該第４投票情報に示される投票に係る広告用着衣画像におけるデザイン画像に対応付けて、予め設定されたポイント数を前記データベースに登録する第４ポイント登録手段と、
　前記第４ポイント登録手段により登録されたポイント数を前記デザイン画像毎に集計し、当該集計結果に基づいて、前記決定されたデザイン画像の前記広告用着衣における位置及び／又は大きさを決定するデザイン位置・大きさ決定手段と、
　を更に備えることを特徴とする広告用デザイン募集装置。
　【請求項６】　請求項１乃至５の何れか一項に記載の広告用デザイン募集装置において、
　前記決定されたデザイン画像及び当該デザイン画像の使用の募集を示す使用募集情報を、前記ネットワークを介して前記複数の端末に対して送信する使用募集情報送信手段と、
　前記使用募集情報を受信した前記複数の端末のうちの何れかの端末から前記ネットワークを介して送信された前記デザイン画像の使用の希望を示す使用希望情報を受信する使用希望情報受信手段と、
　前記使用希望情報が受信された場合には、前記ネットワークに接続された広告主の端末に対して当該デザイン画像の使用の希望があったことを示す情報を通知するデザイン使用希望通知手段と、
　を更に備えることを特徴とする広告用デザイン募集装置。
　【請求項７】　複数の端末がネットワークを介して接続され、広告主により提供される広告用着衣の表面に表示されるデザイン画像を募集するために用いられるコンピュータにおける広告用デザイン募集方法であって、
　前記広告主から提供された広告コンセプト及び当該広告コンセプトに合うデザイン画像の募集を示す募集情報を、前記ネットワークを介して前記複数の端末に対して送信する募集情報送信工程と、
　前記募集情報を受信した前記複数の端末の夫々の使用者により指定された前記広告コンセプトに合うデザイン画像であって、当該複数の端末から前記ネットワークを介して送信された前記デザイン画像を受信するデザイン画像受信工程と、
　前記受信された複数のデザイン画像をデータベースに登録するデザイン画像登録工程と、
　前記データベースに登録された複数のデザイン画像及び当該複数のデザイン画像のうち何れかのデザイン画像の投票を促す第１投票促し情報を、前記ネットワークを介して前記複数の端末に対して送信する第１投票促し情報送信工程と、
　前記第１投票促し情報を受信した前記複数の端末の夫々の使用者により指定されたデザイン画像の投票を示す第１投票情報であって、当該複数の端末から前記ネットワークを介して送信された前記第１投票情報を受信する第１投票情報受信工程と、
　前記第１投票情報を受信する度に、当該第１投票情報に示される投票に係るデザイン画像に対応付けて、予め設定されたポイント数を前記データベースに登録する第１ポイント登録工程と、
　前記第１ポイント登録工程において登録されたポイント数を前記デザイン画像毎に集計し、当該集計結果に基づいて、前記登録された複数のデザイン画像のうちから所定数のデザイン画像に絞り込むデザイン画像絞込工程と、
　前記絞り込まれた所定数のデザイン画像及び当該所定数のデザイン画像のうち何れかのデザイン画像の投票を促す第２投票促し情報を、前記ネットワークを介して前記複数の端末に対して送信する第２投票促し情報送信工程と、
　前記第２投票促し情報を受信した前記複数の端末の夫々の使用者により指定されたデザイン画像の投票を示す第２投票情報であって、当該複数の端末から前記ネットワークを介して送信された前記第２投票情報を受信する第２投票情報受信工程と、
　前記第２投票情報を受信する度に、当該第２投票情報に示される投票に係るデザイン画像に対応付けて、予め設定されたポイント数を前記データベースに登録する第２ポイント登録工程と、
　前記第２ポイント登録工程において登録されたポイント数を前記デザイン画像毎に集計し、当該集計結果に基づいて、前記広告用着衣の表面に表示されるべきデザイン画像を決定するデザイン画像決定工程と、
　を備えることを特徴とする広告用デザイン募集方法。
　　【請求項８】　複数の端末がネットワークを介して接続され、広告主により提供される広告用着衣の表面に表示されるデザイン画像を募集するためのコンピュータを、
　前記広告主から提供された広告コンセプト及び当該広告コンセプトに合うデザイン画像の募集を示す募集情報を、前記ネットワークを介して前記複数の端末に対して送信する募集情報送信手段、
　前記募集情報を受信した前記複数の端末の夫々の使用者により指定された前記広告コンセプトに合うデザイン画像であって、当該複数の端末から前記ネットワークを介して送信された前記デザイン画像を受信するデザイン画像受信手段、
　前記受信された複数のデザイン画像をデータベースに登録するデザイン画像登録手段、
　前記データベースに登録された複数のデザイン画像及び当該複数のデザイン画像のうち何れかのデザイン画像の投票を促す第１投票促し情報を、前記ネットワークを介して前記複数の端末に対して送信する第１投票促し情報送信手段、
　前記第１投票促し情報を受信した前記複数の端末の夫々の使用者により指定されたデザイン画像の投票を示す第１投票情報であって、当該複数の端末から前記ネットワークを介して送信された前記第１投票情報を受信する第１投票情報受信手段、
　前記第１投票情報を受信する度に、当該第１投票情報に示される投票に係るデザイン画像に対応付けて、予め設定されたポイント数を前記データベースに登録する第１ポイント登録手段、
　前記第１ポイント登録手段により登録されたポイント数を前記デザイン画像毎に集計し、当該集計結果に基づいて、前記登録された複数のデザイン画像のうちから所定数のデザイン画像に絞り込むデザイン画像絞込手段、
　前記絞り込まれた所定数のデザイン画像及び当該所定数のデザイン画像のうち何れかのデザイン画像の投票を促す第２投票促し情報を、前記ネットワークを介して前記複数の端末に対して送信する第２投票促し情報送信手段、
　前記第２投票促し情報を受信した前記複数の端末の夫々の使用者により指定されたデザイン画像の投票を示す第２投票情報であって、当該複数の端末から前記ネットワークを介して送信された前記第２投票情報を受信する第２投票情報受信手段、
　前記第２投票情報を受信する度に、当該第２投票情報に示される投票に係るデザイン画像に対応付けて、予め設定されたポイント数を前記データベースに登録する第２ポイント登録手段、及び
　前記第２ポイント登録手段により登録されたポイント数を前記デザイン画像毎に集計し、当該集計結果に基づいて、前記広告用着衣の表面に表示されるべきデザイン画像を決定するデザイン画像決定手段として機能させることを特徴とする広告用デザイン募集処理プログラム。　　」 
　　  
（２）本件補正の内容について  
　審判請求人は審判請求書において、本件補正の内容について、以下のとおり主張している。
「請求人は、本日付けで別途提出した手続補正書において、本願発明の特許請求の範囲の記載を補正いたしました。具体的には、
投票情報を送信した端末が予め設定した特定の端末である場合には、投票に係るデザイン画像に（他の端末から送信された場合よりも）高いポイントを付与するという特徴（旧請求項３に一部記載されていた）を旧請求項１の記載に付加して新請求項１とし
（途中略）
　上述したように、本願発明の新請求項１に係る発明は、旧請求項１が有していた特徴に加えて、投票情報を送信した端末が予め設定した特定の端末である場合には、投票に係るデザイン画像に（他の端末から送信された場合よりも）高いポイントを付与するという特徴を有しています。」
　　
（３）請求項１に係る補正の適否について  
　審判請求人の主張にかんがみ、本件補正により本件補正前の旧請求項１を新請求項１とする補正（以下「請求項１に係る補正」という。）について検討する。
　請求項１に係る補正は、以下に摘記する補正事項を含む。
　　
（ア）本件補正前の「前記第１投票情報を受信する度に、当該第１投票情報に示される投票に係るデザイン画像に対応付けて、予め設定されたポイント数を前記データベースに登録する第１ポイント登録手段」との事項を、本件補正後の「前記第１投票情報を受信する度に、当該第１投票情報に示される投票に係るデザイン画像に対応付けて、予め設定されたポイント数を前記データベースに登録
し、当該第１投票情報を送信した端末が予め設定した特定の端末である場合には当該特定の端末以外から前記第１投票情報を受信した時よりも高いポイント数を当該第１投票情報に示される投票に係るデザイン画像に対応付けて前記データベースに登録
　　
（イ）本件補正前の「前記第２投票情報を受信する度に、当該第２投票情報に示される投票に係るデザイン画像に対応付けて、予め設定されたポイント数を前記データベースに登録する第２ポイント登録手段」との事項を、本件補正後の「前記第２投票情報を受信する度に、当該第２投票情報に示される投票に係るデザイン画像に対応付けて、予め設定されたポイント数を前記データベースに登録
し、当該第２投票情報を送信した端末が予め設定した特定の端末である場合には当該特定の端末以外から前記第２投票情報を受信した時よりも高いポイント数を当該第２投票情報に示される投票に係るデザイン画像に対応付けて前記データベースに登録
　　
（３−１）当初明細書等について
　本件出願の願書に最初に添付した明細書又は図面（以下「当初明細書等」という。）には、以下のとおり記載されている。
　
「　　　【０１０３】
　　【発明の実施の形態】
　以下、本発明の好適な実施の形態を添付図面に基づいて説明する。なお、以下の説明は、広告用デザイン募集システムに対して本発明を適用した場合の実施形態である。
　　　【０１０４】
　先ず、図１を参照して、本実施形態における広告用デザイン募集システムの構成について説明する。
　　　【０１０５】
　図１は、本実施形態（第１実施形態から第３実施形態に共通）における広告用デザイン募集システムの概略構成を示すブロック図である。図１に示すように広告用デザイン募集システム１は、広告用デザイン募集装置としての広告用デザイン募集サーバ１１、広告主の端末１２、一般会員の端末１３、特定会員の端末１４、不特定者の端末１５および、広告用着衣の製造者の端末１６を含んで構成され、これらは、ネットワークとしてのインターネット１７を介して相互に接続されている。
（途中略）
　　　【０１１１】
　（第１実施形態）
　次に、図２を参照して、第１実施形態における広告用デザイン募集システム１を用い、広告主が広告コンセプトを提供してから広告用着衣が一般消費者に渡るまでの流れについて説明する。
　　　【０１１２】
　図２は、第１実施形態において、広告主が広告コンセプトを提供してから、広告用着衣が一般消費者に渡るまでの流れを示す概念図である。図２に示すように、先ず、広告主は、端末１２からデザイン支援業者の広告用デザイン募集サーバ１１に広告コンセプトを提供する（フェーズＦ１）。次に、広告用デザイン募集サーバ１１は、提供された広告コンセプトを登録し、一般会員の端末１３に公開するとともに、当該広告コンセプトに合うデザイン画像を募集する（フェーズＦ２）。次に、一般会員は、端末１３から広告用デザイン募集サーバ１１に、その広告コンセプトに合うデザイン画像を提供する（フェーズＦ３）。　　　【０１１３】
　次に、広告用デザイン募集サーバ１１は、提供されたデザイン画像を登録し、一般会員の端末１３および特定会員の端末１４に公開するとともに、当該デザイン画像の投票入力を促す（フェーズＦ４）。つまり、一般会員である多くのデザイナーから集められた複数のデザイン画像のうち、どのデザイン画像が広告主の広告コンセプトに合うデザイン画像であるかの投票が、多くのデザイナーおよびカリスマデザイナーに促される。なお、広告用デザイン募集サーバ１１は、登録されたデザイン画像を、特定会員にのみに公開し、当該デザイン画像の投票入力を促すようにしてもよい。
　　　【０１１４】
　次に、
一般会員若しくは特定会員は、端末１３若しくは端末１４から広告用デザイン募集サーバ１１に、デザイン画像の投票入力を行う（フェーズＦ５）。次に、広告用デザイン募集サーバ１１は、受付けられた投票結果に基づいて、登録された複数のデザイン画像のうち、広告用着衣の表面に表示されるべきデザイン画像を決定
（途中略）
　　　【０１２３】
　次に、図４および図５を参照して、第１実施形態における広告用デザイン募集サーバ１１を主体とした広告用デザイン募集システム１の動作について説明する。
（途中略）
　　　【０１３７】
　次に、
広告用デザイン募集サーバ１１は、端末判断手段として、当該デザイン画像の投票入力を行った端末が予め設定された特定（特定会員）の端末１４であるか否かを判断する（ステップＳ１６）。即ち、広告用デザイン募集サーバ１１は、上記ステップＳ１４にて認識された一般会員と特定会員の別により、当該端末が、特定会員の端末１４であるか否かを判断する。その結果、当該端末が特定会員の端末１４でなかった場合、つまり、一般会員の端末１３であった場合には、広告用デザイン募集サーバ１１は、ポイント登録手段として、受付けられた投票に対応するデザイン画像のデータに対応付けて、予め設定されたポイント数（例えば、１ポイント）をデザイン登録データベース１１２ｂに登録する（ステップＳ１７）。
　　　【０１３８】
　
一方、当該端末が、特定会員の端末１４であった場合には、広告用デザイン募集サーバ１１は、ポイント登録手段として、受付けられた投票に対応するデザイン画像のデータに対応付けて、特定（特定会員）の端末１４以外、つまり、ここでは、一般会員の端末１３からの投票入力のときよりも高いポイント数（例えば、３ポイント）をデザイン登録データベース１１２ｂに登録する（ステップＳ１８）。これにより、デザイナーによる１票よりも、カリスマデザイナーによる１票の方を重みつけを大きくすることができるため、より広告コンセプトに合い、かつ、一般の消費者等に気に入られるデザイン画像に対して票が集まっていくことが期待できる。
（途中略）
　　　【０１４６】
　
（第２実施形態）
次に、図７を参照して、第２実施形態における広告用デザイン募集システム１を用い、広告主が広告コンセプトを提供してから広告用着衣が一般消費者に渡るまでの流れについて説明する
　　　【０１４７】
　図７は、第２実施形態において、広告主が広告コンセプトを提供してから、広告用着衣が一般消費者に渡るまでの流れを示す概念図である。なお、
図７に示すフェーズＦ１１〜Ｆ１５までの流れは、第１実施形態における図２に示すフェーズＦ１〜Ｆ５と同様であるので説明を省略する。
　　　【０１４８】
　
フェーズＦ１５にて、デザイン画像の投票入力が行われると、次に、広告用デザイン募集サーバ１１は、受付けられた投票結果に基づいて、登録された複数のデザイン画像のうちから所定数（例えば、３〜５個）のデザインに絞り込み、絞り込まれた所定数のデザインを、不特定者の端末１５に公開するとともに、当該デザイン画像の投票入力を促す（フェーズＦ１６）。つまり、一般会員である多くのデザイナーから集められ、絞り込まれた所定数のデザイン画像のうち、どのデザイン画像が広告主の広告コンセプトに合うデザイン画像であるかの投票が、一般人に促される。
　　　【０１４９】
　
次に、不特定者は、端末１５から広告用デザイン募集サーバ１１に、デザイン画像の投票入力を行う（フェーズＦ１７）。次に、広告用デザイン募集サーバ１１は、受付けられた投票結果に基づいて、絞り込まれた所定数のデザイン画像のうち、広告用着衣の表面に表示されるべきデザイン画像を決定
　　　【０１５０】
　第２実施形態における広告用デザイン募集サーバ１１の構成についても、図３に示す構成となっている。従って、第２実施形態における広告用デザイン募集サーバ１１の構成および機能については、主に、第１実施形態と異なる部分について説明する。
　　　【０１５１】
　第２実施形態における広告用デザイン募集サーバ１１における処理部１１１は、第１実施形態と同様、広告用デザイン募集処理プログラムにより、広告コンセプト受付手段、デザイン募集手段、デザイン登録手段、デザイン公開手段、第１デザイン投票受付手段（第１実施形態においては、デザイン投票受付手段）、端末判断手段、ポイント登録手段、デザイン決定手段およびデザイン通知手段として機能し、さらに、デザイン絞込手段、絞込デザイン公開手段および第２デザイン投票受付手段としても機能する。
　　　【０１５２】
　次に、図８および図９を参照して、第２実施形態における広告用デザイン募集サーバ１１を主体とした広告用デザイン募集システム１の動作について説明する。
　　　【０１５３】
　図８は、図７に示す流れの中で、広告コンセプトに合うデザイン画像の公開から、デザイン画像の絞り込みまでにおける広告用デザイン募集サーバ１１の処理を示すフローチャートである。図９は、図７に示す流れの中で、絞り込まれたデザイン画像の公開から、決定されたデザイン画像の通知までにおける広告用デザイン募集サーバ１１の処理を示すフローチャートである。
　　　【０１５４】
　なお、図７に示す流れの中で、広告コンセプトに合うデザイン画像が登録されるまでにおける広告用デザイン募集サーバ１１の処理は、図４に示す処理と同様であるので、説明を省略する。また、図８における
ステップＳ３１〜Ｓ３９の処理については、図５に示すステップＳ１１〜Ｓ１９の処理と同様であるので説明を省略する。
　　　【０１５５】
　
図８に示すステップＳ４０では、広告用デザイン募集サーバ１１は、デザイン絞込手段として、投票結果に基づいて、デザイン登録データベース１１２ｂに登録された複数のデザイン画像のデータのうちから所定数のデザイン画像に絞り込み、その絞り込まれたデザイン画像の情報をデザイン登録データベース１１２ｂに登録する。
　　　【０１５６】
　
より具体的には、広告用デザイン募集サーバ１１は、デザイン登録データベース１１２ｂに登録されたポイント数を、登録されたデザイン画像毎に集計し、当該集計結果に基づいて、登録された複数のデザイン画像のデータのうちから所定数のデザインに絞り込む。
　　　【０１５７】
　
次に、図９において、不特定者が端末１５から、例えば、デザイン支援業者のサイトのＵＲＬを指定して、広告用デザイン募集サーバ１１にアクセスすると、広告用デザイン募集サーバ１１は、これに応じ、デザイン支援業者のホームページを端末１５に提供（送信）する（ステップＳ６１）。このようなホームページ上には、絞り込まれたデザイン画像の公開を要求するためのボタン等が設けられている。不特定者が、端末１５のマウスにより絞り込まれたデザイン画像の公開を要求するためのボタンをクリックすると、広告用デザイン募集サーバ１１は、これに応じ（ステップＳ６２）、絞込デザイン公開手段として、デザイン登録データベース１１２ｂに登録され、絞り込まれた所定数のデザイン画像のデータを、インターネット１７を介して端末１５に対して公開するとともに、当該デザイン画像の投票入力を促す（ステップＳ６３）。より具体的には、広告用デザイン募集サーバ１１は、絞り込まれた所定数のデザイン画像、投票を促す旨および、所定数のデザイン画像のうち何れかのデザイン画像を選択（投票）するためのボタン等が記述されたＷｅｂページを端末１５に提供（送信）する。
　　　【０１５８】
　
このようなＷｅｂページが端末１５のディスプレイに表示された状態で、不特定者が、端末１５から所望のデザイン画像の投票を行うと、広告用デザイン募集サーバ１１は、これに応じ、第２デザイン投票受付手段として、かかる投票を受付ける（ステップＳ６４）。次に、広告用デザイン募集サーバ１１は、受付けられた投票に対応するデザイン画像のデータに対応付けて、予め設定されたポイント数（例えば、１ポイント）をデザイン登録データベース１１２ｂに登録する（ステップＳ６５）。
　　　【０１５９】
　以上のような絞り込まれたデザイン画像のデータの公開は所定期間行われることになる。つまり、広告用デザイン募集サーバ１１は、絞り込みデザイン画像の公開開始から所定期間が経過したか否かを判断し（ステップＳ６６）、所定期間が経過した場合に、ステップＳ６７の処理を実行する。
　　　【０１６０】
　
ステップＳ６７では、広告用デザイン募集サーバ１１は、デザイン決定手段として、上記絞り込みデザインの投票結果に基づいて、広告用着衣の表面に表示されるべきデザイン画像を決定
　　　【０１６１】
　そして、広告用デザイン募集サーバ１１は、第１実施形態と同様、決定されたデザイン画像のデータを、インターネット１７を介して広告用着衣の製造者の端末１６に対して通知する（ステップＳ６８）。
　　　【０１６２】
　以上説明した通り、第２実施形態によれば、広告主により提供される広告用着衣の表面に表示されるデザイン画像であって、広告主の広告コンセプトに合うデザイン画像を、一般会員から募集し、募集されたデザイン画像の投票をデザイナーや、カリスマデザイナーにより行い所定数に絞り込んだ後、一般公開して再度投票を行うので、より一般の消費者等に受け入れられるデザイン画像を決定することができる。
　　　【０１６３】
　なお、上記第２実施形態においても、第１実施形態の変形例と同様、登録された複数のデザイン画像を特定会員の端末１４のみに対して公開（フェーズＦ１４）するとともに、当該デザイン画像の投票入力を促すように構成してもよい。
　　　【０１６４】
　また、上記第２実施形態においても、一般会員から広告コンセプトに合うデザイン画像を募集するように構成したが、特定会員及び／又は不特定者からも募集するように構成してもよい。」
  　　
　　
（３−２）請求項１に係る補正の適否についての判断  
　　
　補正事項（ア）について検討する。
　　
　請求項１に係る発明は、「デザイン画像絞込手段」を有していることから、当初明細書等における第２実施形態に相当する発明である。
　第２実施形態は第１実施形態を引用して記載されており、当初明細書等の上記【０１４６】【０１４７】段落の記載によれば、フェーズＦ１１〜Ｆ１５までの流れは、フェーズＦ１〜Ｆ５と同様であるとされており、上記【０１５４】段落の記載によれば、ステップＳ３１〜Ｓ３９の処理については、ステップＳ１１〜Ｓ１９の処理と同様であるとされている。
　そこで第１実施形態の上記【０１１４】段落、上記【０１３７】【０１３８】段落の記載を参照すれば、本件補正後の「前記第１投票情報を受信する度に、当該第１投票情報に示される投票に係るデザイン画像に対応付けて、予め設定されたポイント数を前記データベースに登録
し、当該第１投票情報を送信した端末が予め設定した特定の端末である場合には当該特定の端末以外から前記第１投票情報を受信した時よりも高いポイント数を当該第１投票情報に示される投票に係るデザイン画像に対応付けて前記データベースに登録
　なお、当該事項は審判請求人が審判請求書で主張するように、本件補正前の旧請求項３において特定されていた事項である。
　　
　補正事項（イ）について検討する。
　　
　補正事項（イ）は、「デザイン画像絞込手段」により絞り込まれた所定数のデザイン画像等に対して、複数の端末の夫々の使用者により指定されたデザイン画像へ投票された情報である第２投票情報に関するものであるが、当該情報に関する上記【０１５７】【０１５８】段落の記載をみても、「前記第２投票情報を受信する度に、当該第２投票情報に示される投票に係るデザイン画像に対応付けて、予め設定されたポイント数を前記データベースに登録
し、当該第２投票情報を送信した端末が予め設定した特定の端末である場合には当該特定の端末以外から前記第２投票情報を受信した時よりも高いポイント数を当該第２投票情報に示される投票に係るデザイン画像に対応付けて前記データベースに登録
　　
　また、第２実施形態の第２投票情報に関しては、「不特定者」が投票することのみが記載されており、「不特定者」以外の者、例えば「一般会員」や「特定会員」が投票しても良いことは、当初明細書等の全体をみても記載されていないことから、補正事項（イ）は当初明細書から自明であるとも認められない。
（【０１６４】段落の記載は、広告コンセプトに合うデザイン画像を募集する場合のことである。）
　　
　審判請求人は、審判請求書で、「投票情報を送信した端末が予め設定した特定の端末である場合には、投票に係るデザイン画像に（他の端末から送信された場合よりも）高いポイントを付与するという特徴」は「旧請求項３に一部記載されていた」と主張しているが、旧請求項３の記載は、「第１投票情報」に係るもののみであって、前記補正事項（ア）に対応するもののみであり、これを「デザイン画像絞込手段」により絞り込まれた所定数のデザイン画像等に対して、複数の端末の夫々の使用者により指定されたデザイン画像へ投票された情報である「第２投票情報」に適用することは、当初明細書等には記載されておらず自明であるとも認められないので、審判請求人の当該主張を採用することはできない。
　　
　以上のことから、補正事項（イ）を含む本件補正は、当初明細書等に記載されておらず、当初明細書等のすべての事項を総合することにより導かれる技術的事項との関係において、新たな技術的事項を導入するものであるから、本件補正は当初明細書等に記載した事項の範囲内においてしたものではなく、特許法第１７条の２第３項に規定する要件を満たしていない。
　　
（「広告用デザイン募集処理プログラム」に係る発明である請求項６に係る補正に関しても同様である。）
　　
　　
（３−３）本件補正の適否についての結論
　　
　したがって、本件補正は、特許法第１７条の２第３項の規定に違反するので、同法第１５９条第１項において読み替えて準用する同法第５３条第１項の規定により却下すべきものである。
　　
　　 
３．本件補正前の請求項１に記載された発明（本願発明）について  
　　  
　平成１９年４月９日の手続補正は上記２．に記載したとおり却下されたので、本件補正前の平成１９年１月９日の手続補正書により補正された請求項１に記載された発明（以下「本願発明」という。）は以下のとおりである。  
　　  
「　複数の端末がネットワークを介して接続され、広告主により提供される広告用着衣の表面に表示されるデザイン画像を募集する広告用デザイン募集装置であって、
　前記広告主から提供された広告コンセプト及び当該広告コンセプトに合うデザイン画像の募集を示す募集情報を、前記ネットワークを介して前記複数の端末に対して送信する募集情報送信手段と、
　前記募集情報を受信した前記複数の端末の夫々の使用者により指定された前記広告コンセプトに合うデザイン画像であって、当該複数の端末から前記ネットワークを介して送信された前記デザイン画像を受信するデザイン画像受信手段と、
　前記受信された複数のデザイン画像をデータベースに登録するデザイン画像登録手段と、
　前記データベースに登録された複数のデザイン画像及び当該複数のデザイン画像のうち何れかのデザイン画像の投票を促す第１投票促し情報を、前記ネットワークを介して前記複数の端末に対して送信する第１投票促し情報送信手段と、
　前記第１投票促し情報を受信した前記複数の端末の夫々の使用者により指定されたデザイン画像の投票を示す第１投票情報であって、当該複数の端末から前記ネットワークを介して送信された前記第１投票情報を受信する第１投票情報受信手段と、
　前記第１投票情報を受信する度に、当該第１投票情報に示される投票に係るデザイン画像に対応付けて、予め設定されたポイント数を前記データベースに登録する第１ポイント登録手段と、
　前記第１ポイント登録手段により登録されたポイント数を前記デザイン画像毎に集計し、当該集計結果に基づいて、前記登録された複数のデザイン画像のうちから所定数のデザイン画像に絞り込むデザイン画像絞込手段と、
　前記絞り込まれた所定数のデザイン画像及び当該所定数のデザイン画像のうち何れかのデザイン画像の投票を促す第２投票促し情報を、前記ネットワークを介して前記複数の端末に対して送信する第２投票促し情報送信手段と、
　前記第２投票促し情報を受信した前記複数の端末の夫々の使用者により指定されたデザイン画像の投票を示す第２投票情報であって、当該複数の端末から前記ネットワークを介して送信された前記第２投票情報を受信する第２投票情報受信手段と、
　前記第２投票情報を受信する度に、当該第２投票情報に示される投票に係るデザイン画像に対応付けて、予め設定されたポイント数を前記データベースに登録する第２ポイント登録手段と、
　前記第２ポイント登録手段により登録されたポイント数を前記デザイン画像毎に集計し、当該集計結果に基づいて、前記広告用着衣の表面に表示されるべきデザイン画像を決定するデザイン画像決定手段と、
　を備えることを特徴とする広告用デザイン募集装置。　　」  
　　 
　  
４．原査定の拒絶の理由の概要  
　平成１８年１０月３０日付けの拒絶理由通知及び平成１９年２月２日付けの拒絶査定の記載からみて、原査定の拒絶理由の理由Ｃの概要は以下のとおりである。  
【拒絶理由】　　  
「この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　
　　　　　記　　　（引用文献等については引用文献等一覧参照）
　　　
　下記引用文献１には、
（途中略）
構成が記載されており、これらの構成から本願の請求項１〜４８に係る発明の進歩性が否定される。
　　
　　　　　　　　　　　引　用　文　献　等　一　覧
１．特開２００１−３２５４２１号公報　　　　」  
　　  
【拒絶査定】 
「この出願については、平成１８年１０月３０日付け拒絶理由通知書に記載した理由によって、拒絶をすべきものである。
　なお、意見書並びに手続補正書の内容を検討したが、拒絶理由を覆すに足りる根拠が見いだせない。
備考
【進歩性について】
（以下略）　　　　」 
　　 
　　  
５．当審の判断  
　　  
５−１．各引用例について  
　　  
（１）引用例について  
　原査定の拒絶理由の引用文献１として引用した「特開２００１−３２５４２１号公報」（以下「引用例」という。）には、図面とともに以下のことが記載されている。 
　　 
（ア）「【０００１】
【発明の属する技術分野】本発明は、
デザイン付き商品の電子公募システム及び電子公募方法に関する。
【０００２】
【従来の技術】一般に、企業はキャンペーンを行う際、キャンペーンのコンセプトに基づいて製造されたキャンペーン商品又は期間限定商品等のデザイン付き商品を用いてキャンペーンを展開する。
自社で前記デザイン付き商品の製造が困難な場合、企業は、前記デザイン付き商品に付するデザインの作成をデザイン提供者に発注し、デザインを付する前記デザイン付き商品の製造を製造業者に発注する。
デザイン付き商品は
キャンペーンのＰＲ用に進呈される
　　 
（イ）「【０００８】
（途中略）本発明は以上の問題に鑑みてなされたものであり、
デザイン付き商品の販売又は進呈に関して、企業と製造業者とデザイン提供者と消費者とのそれぞれにとって利用しやすいデザイン付き商品の電子公募システム及び電子公募方法を提供することを目的とする。
　　 
（ウ）「【００２１】
【発明の実施の形態】以下に本発明の実施形態につき図面を参照して説明する。１は公募情報制御部で、インターネット２を通じてデザイナーデータベース３、メーカーデータベース４、バイヤーデータベース５及びクライアントデータベース６に接続される。７はパーソナルコンピュータなどのユーザー端末で、デザイナー（デザイン提供者）が作成者情報や、参加を希望する公募に関する情報などを入力するためのもので、入力すると前記デザイナーデータベース３に格納される。８はパーソナルコンピュータなどのユーザー端末で、メーカー（製造業者）がメーカー情報や、参加を希望する公募に関する情報などを入力するためのもので、入力すると前記メーカーデータベース４に格納される。９はパーソナルコンピュータなどのユーザー端末で、消費者（バイヤー）が個人情報や、希望する公募に関する情報などを入力するためのもので、入力すると前記バイヤーデータベース５に格納される。１０はパーソナルコンピュータなどのユーザー端末で、クライアント企業（公募提供者）が自社情報や、公募条件に関する情報などを入力するためのもので、入力すると前記クライアントデータベース６に格納される。
【００２２】公募情報制御部１はデータベースも兼ねており、前記デザイナーデータベース３、メーカーデータベース４、バイヤーデータベース５及びクライアントデータベース６に格納されたデータを蓄積する。また、該公募情報制御部１は、前記
クライアント企業により公募条件に関する情報が前記クライアントデータベース６に格納される
公募条件に適合したデザイナー
に公募を告知
デザイナー
からの応募作品を公開し
公開された応募製品の中からクライアント企業及び消費者（バイヤー）よりの投票を受けてその結果を集計し
集計結果に基づき
当該デザイン付き商品の生産を指示
　　 
（エ）「【００２９】次に、Ｓ６の
公募について説明
【００３０】前述したように、
クライアント企業がクライアントデータベース６に公募に関する新規情報(公募条件)を登録
適合するデザイナー、
一斉に当該情報が告知
【００３１】次に、Ｓ７について説明する。この
告知を受けたデザイナー
公募に参加
自身の作品を応募
主催タイトルが「第２回：砂浜美術館」で、応募内容は「エコロジーをテーマ」としており、応募規定は「Ａ４以内」で、応募資格は「不問」
画面の下半分はデザイナーの入力項目
デザイン一覧
が入力可能である
【００３２】図２６と図２８はメーカー向けの公募Ａ及びＢタイプであり、共に主催タイトルが「第２回：砂浜美術館」で、応募内容は「エコロジーをテーマ」としており、応募規定は「Ａ４以内」で、応募資格は「不問」で、予算が１００万円で単価が３５０円で、また公募ＩＤ、締切、発表（方法）、主催、参考、著作権について表示されている。画面の下半分はメーカーの入力項目であり、商品ＩＤ、商品一覧（自社の商品一覧から選んで登録する）、この公募へのＰＲ（複数選択可能）、この公募へのＰＲ文、別途オーダーメイド価格は共通であるが、Ｂタイプのみ入札価格が入力可能である。
【００３３】次に、Ｓ８について説明する。前記
公募データベース（公募情報制御部１）に新規の公募情報が蓄積されると、公募情報制御部１は公募作品を公開する。即ち、応募順に逐次、あるいは締切日時に一斉に、クライアント企業、消費者（バイヤー）、デザイナー、メーカーに告知され、公開される。この公開は、ホームページに掲載されることにより、公開されるものである。
この公募情報が公開されると、消費者（バイヤー）が、あるいは消費者（バイヤー）及びクライアント企業が人気投票を行うことができる。即ち、消費者（バイヤー）やクライアント企業は、一定期間内に公開されたデザイン、商品の中から、好みに合うものに投票を行う。この場合、クライアント企業の希望によっては、クライアント企業自身及びクライアント企業が審査員として認めた人や特別な顧客などには、一票を越える一定量の投票権を与えることもできる。
【００３６】次に、Ｓ１０について説明する。
この投票が行われると、公募情報制御部１は人気投票の結果を自動集計し
これをクライアント企業が参照することで、見込まれる顧客に最も人気の高いデザインと商品を、自社の意向を加えながら、選び出す
【００３７】次に、Ｓ１１について説明する。自動集計し公開した後、公募情報制御部１は入選したデザイナー、メーカーに生産指示を行う。即ち、ユーザー端末１０を用いてクライアント企業が入力指示すると、公募情報制御部１は入選したデザイナーとメーカーに対して、生産を指示する。尚、当該デザイナー及びメーカーが、各ユーザー端末７、８を用いて生産進捗状況を入力することにより、公募データベース（公募情報制御部１）に蓄積することができ、クライアント企業は公募データベースにアクセスすることにより生産進捗状況を把握できる。」
　　 
　　 
　上記摘記事項（ア）ないし（エ）によれば、引用例には、以下の発明（以下「引用例発明」という。）が開示されている。  
　　 
　　  
「キャンペーンのＰＲ用に進呈されるデザイン付き商品に付するデザインの作成をデザイン提供者に発注し、デザインを付するデザイン付き商品の製造を製造業者に発注するデザイン付き商品の電子公募システムであって、
　公募情報制御部がインターネットを通じてデザイナーデータベース、、バイヤーデータベース及びクライアントデータベースに接続され、デザイナー（デザイン提供者）が作成者情報や、参加を希望する公募に関する情報などを入力し、入力するとデザイナーデータベースに格納されるユーザー端末、消費者（バイヤー）が希望する公募に関する情報などを入力するためのもので、入力すると前記バイヤーデータベース５に格納されるユーザー端末、クライアント企業（公募提供者）が公募条件に関する情報などを入力するためのもので、入力すると前記クライアントデータベース６に格納されるユーザー端末を有し、
　クライアント企業により公募条件に関する情報がクライアントデータベースに格納され、公募条件に適合したデザイナーに公募を告知し、デザイナーからの応募作品を公開し、この公開された応募製品の中からクライアント企業及び消費者（バイヤー）よりの投票を受けてその結果を集計するものであって、
　クライアント企業がクライアントデータベースに公募に関する新規情報(公募条件)を登録すると、適合するデザイナーに電子メールなどで一斉に当該情報が告知され、
　告知を受けたデザイナーは公募に参加し、応募主催タイトル、応募内容テーマ、応募資格等の公募条件を満たす自身の作品を入力し、
　公募データベース（公募情報制御部１）に新規の公募情報が蓄積されると、公募情報制御部は公募作品を公開し、逐次あるいは一斉にクライアント企業、消費者（バイヤー）、デザイナー、メーカーに告知され公開され、この公開はホームページに掲載されることにより公開され、
　この公募情報が公開されると、消費者（バイヤー）が、あるいは消費者（バイヤー）及びクライアント企業が人気投票を行うことができ、消費者（バイヤー）やクライアント企業は、一定期間内に公開されたデザイン、商品の中から好みに合うものに投票を行い、
　クライアント企業の希望によっては、クライアント企業自身及びクライアント企業が審査員として認めた人や特別な顧客などには、一票を越える一定量の投票権を与えることもでき、
　この投票が行われると、公募情報制御部１は人気投票の結果を自動集計し、これをクライアント企業が参照することで、見込まれる顧客に最も人気の高いデザインと商品を、自社の意向を加えながら選び出す、
　キャンペーンのＰＲ用に進呈されるデザインを付するデザイン付き商品の製造を製造業者に発注するデザイン付き商品の電子公募システム。」  
　　 
　　 
５−２．対比  
　　  
　本願発明と、上記引用例発明とを比較する。
　　 
　引用例発明の「データベース」と「ユーザー端末」、「インターネット」、「クライアント企業」、「デザイン」、「ユーザー」は、本願発明の「端末」、「ネットワーク」、「広告主」、「デザイン画像」、「使用者」にそれぞれ相当する。
　引用例発明の「デザイン付き商品」と本願発明の「広告用着衣」とは、「デザイン」が付され、あるいは「デザイン画像」が表面に表示されるものであることから、「広告用商品」という概念に包摂される。
　引用例発明の「公募条件」は、「応募主催タイトル、応募内容テーマ、応募資格等」が含まれるものであることから、本願発明の「広告コンセプト」に相当する。
　
　以上の点を勘案して、本願発明と引用例発明とをさらに比較する。
　
　引用例発明は、「キャンペーンのＰＲ用に進呈されるデザイン付き商品に付するデザインの作成をデザイン提供者に発注し、デザインを付するデザイン付き商品の製造を製造業者に発注するデザイン付き商品の電子公募システムであって、公募情報制御部がインターネットを通じてデザイナーデータベース、、バイヤーデータベース及びクライアントデータベースに接続され、デザイナー（デザイン提供者）が作成者情報や、参加を希望する公募に関する情報などを入力し、入力するとデザイナーデータベースに格納されるユーザー端末、消費者（バイヤー）が希望する公募に関する情報などを入力するためのもので、入力すると前記バイヤーデータベース５に格納されるユーザー端末、クライアント企業（公募提供者）が公募条件に関する情報などを入力するためのもので、入力すると前記クライアントデータベース６に格納されるユーザー端末を有する」ものであることから、本願発明とは、後記する相違点で相違するものの、「複数の端末がネットワークを介して接続され、広告主により提供される広告用商品に付されるデザイン画像を募集する広告用デザイン募集装置」である点で共通する。
　　
　引用例発明は、「クライアント企業により公募条件に関する情報がクライアントデータベースに格納され、公募条件に適合したデザイナーに公募を告知」するものであり、「クライアント企業がクライアントデータベースに公募に関する新規情報(公募条件)を登録すると、適合するデザイナーに電子メールなどで一斉に当該情報が告知」するものであることから、本願発明とは、「広告主から提供された広告コンセプト及び当該広告コンセプトに合うデザイン画像の募集を示す募集情報を、ネットワークを介して複数の端末に対して送信する募集情報送信手段」の機能を有する点で共通する。
　　
　引用例発明は、「告知を受けたデザイナーは公募に参加し、応募主催タイトル、応募内容テーマ、応募資格等の公募条件を満たす自身の作品を入力し、公募データベース（公募情報制御部１）に新規の公募情報が蓄積されると、公募情報制御部は公募作品を公開し、逐次あるいは一斉にクライアント企業、消費者（バイヤー）、デザイナー、メーカーに告知され公開され、この公開はホームページに掲載されることにより公開」するものであることから、本願発明とは、「募集情報を受信した複数の端末の夫々の使用者により指定された広告コンセプトに合うデザイン画像であって、当該複数の端末からネットワークを介して送信されたデザイン画像を受信するデザイン画像受信手段と、受信された複数のデザイン画像をデータベースに登録するデザイン画像登録手段」の機能を有する点で共通する。
　　
　引用例発明は、「公募データベース（公募情報制御部１）に新規の公募情報が蓄積されると、公募情報制御部は公募作品を公開し、逐次あるいは一斉にクライアント企業、消費者（バイヤー）、デザイナー、メーカーに告知され公開され、この公開はホームページに掲載されることにより公開され、この公募情報が公開されると、消費者（バイヤー）が、あるいは消費者（バイヤー）及びクライアント企業が人気投票を行うことができ、消費者（バイヤー）やクライアント企業は、一定期間内に公開されたデザイン、商品の中から好みに合うものに投票を行い、クライアント企業の希望によっては、クライアント企業自身及びクライアント企業が審査員として認めた人や特別な顧客などには、一票を越える一定量の投票権を与えることもでき、この投票が行われると、公募情報制御部１は人気投票の結果を自動集計し。これをクライアント企業が参照することで、見込まれる顧客に最も人気の高いデザインと商品を、自社の意向を加えながら選び出す」ものであることから、本願発明とは、「データベースに登録された複数のデザイン画像及び当該複数のデザイン画像のうち何れかのデザイン画像の投票を促す第１投票促し情報を、ネットワークを介して複数の端末に対して送信する第１投票促し情報送信手段と、第１投票促し情報を受信した複数の端末の夫々の使用者により指定されたデザイン画像の投票を示す第１投票情報であって、当該複数の端末からネットワークを介して送信された第１投票情報を受信する第１投票情報受信手段と、第１投票情報を受信する度に、当該第１投票情報に示される投票に係るデザイン画像に対応付けて、予め設定されたポイント数を前記データベースに登録する第１ポイント登録手段と、第１ポイント登録手段により登録されたポイント数を前記デザイン画像毎に集計し、当該集計結果に基づいて、広告用商品に付されるデザイン画像を決定するデザイン画像決定手段」の機能を有する点で共通する。
　　
　　
　そうすると引用例発明と本願発明とは、  
　　  
　　　
「複数の端末がネットワークを介して接続され、広告主により提供される広告用商品に付されるデザイン画像を募集する広告用デザイン募集装置であって、
　前記広告主から提供された広告コンセプト及び当該広告コンセプトに合うデザイン画像の募集を示す募集情報を、前記ネットワークを介して前記複数の端末に対して送信する募集情報送信手段と、
　前記募集情報を受信した前記複数の端末の夫々の使用者により指定された前記広告コンセプトに合うデザイン画像であって、当該複数の端末から前記ネットワークを介して送信された前記デザイン画像を受信するデザイン画像受信手段と、
　前記受信された複数のデザイン画像をデータベースに登録するデザイン画像登録手段と、
　前記データベースに登録された複数のデザイン画像及び当該複数のデザイン画像のうち何れかのデザイン画像の投票を促す第１投票促し情報を、前記ネットワークを介して前記複数の端末に対して送信する第１投票促し情報送信手段と、
　前記第１投票促し情報を受信した前記複数の端末の夫々の使用者により指定されたデザイン画像の投票を示す第１投票情報であって、当該複数の端末から前記ネットワークを介して送信された前記第１投票情報を受信する第１投票情報受信手段と、
　前記第１投票情報を受信する度に、当該第１投票情報に示される投票に係るデザイン画像に対応付けて、予め設定されたポイント数を前記データベースに登録する第１ポイント登録手段と、
　前記第１ポイント登録手段により登録されたポイント数を前記デザイン画像毎に集計し、当該集計結果に基づいて、前記広告用商品に付されるデザイン画像を決定するデザイン画像決定手段と、
　を備えることを特徴とする広告用デザイン募集装置。　　」
　　　
　　  
である点で一致し、以下の点で相違する。  
　　　
　　  
［相違点１］  
　本願発明では、募集されるものが「広告用着衣の表面に表示されるデザイン画像」であるのに対して、引用例発明では「広告用商品に付されるデザイン画像」である点。
　　  
［相違点２］ 
　本願発明ではさらに、「登録された複数のデザイン画像のうちから所定数のデザイン画像に絞り込むデザイン画像絞込手段と、絞り込まれた所定数のデザイン画像及び当該所定数のデザイン画像のうち何れかのデザイン画像の投票を促す第２投票促し情報を、ネットワークを介して複数の端末に対して送信する第２投票促し情報送信手段と、第２投票促し情報を受信した複数の端末の夫々の使用者により指定されたデザイン画像の投票を示す第２投票情報であって、当該複数の端末からネットワークを介して送信された第２投票情報を受信する第２投票情報受信手段と、第２投票情報を受信する度に、当該第２投票情報に示される投票に係るデザイン画像に対応付けて、予め設定されたポイント数を前記データベースに登録する第２ポイント登録手段」を有し、このために「デザイン画像決定手段」が、「第２ポイント登録手段により登録されたポイント数をデザイン画像毎に集計」することによりデザイン画像を決定するものであるのに対して、引用例発明ではそのようになっていない点。
　　 
　　 
５−３．判断  
　　  
［相違点１］について。  
　「広告用着衣の表面にデザイン画像を表示した広告用商品」は周知の事項である。（以下「周知事項１」という。）
　してみると、引用例発明に周知事項１を適用し、募集されるデザイン画像を「広告用着衣の表面に表示されるデザイン画像」とすることには何ら困難性がなく、当業者が容易に想到することができたものである。
　　
［相違点２］について。  
　マーケティング手法として、多数の応募作品を専門家によりいったん絞り込みを行い、さらに一般人の人気投票を行うことは周知の事項である。（以下「周知事項２」という。）（例えば原査定の拒絶査定で引用された、「新商品はネットから生まれる　最新マーケティング手法，日経netbrain，２０００年９月８日，Vol.1,No.6，p.64-71」には、「１０００件以上の応募に大きな手応えを感じていた。実現不可能なアイデアなどをふるいにかけ、残った１９作品を上位３作品に絞り込む人気投票では１万７０００もの投票を集めた。」と記載されている。）
　してみると、引用例発明に周知事項２を適用し、「（専門家による）第１投票情報の集計結果に基づいてデザイン画像を決定する」ことに替えて、「（専門家による）第１投票情報の集計結果に基づいて絞り込みを行い、さらに（一般人による）人気投票を行うことによりデザイン画像を決定する」よう構成すること、さらにこれを「ネットワークを介して第１投票情報と同様の手段により行う」よう構成することには何ら困難性がない。
　その際、「登録された複数のデザイン画像のうちから所定数のデザイン画像に絞り込むデザイン画像絞込手段」と、「絞り込まれた所定数のデザイン画像及び当該所定数のデザイン画像のうち何れかのデザイン画像の投票を促す第２投票促し情報を、ネットワークを介して複数の端末に対して送信する第２投票促し情報送信手段」と、「第２投票促し情報を受信した複数の端末の夫々の使用者により指定されたデザイン画像の投票を示す第２投票情報であって、当該複数の端末からネットワークを介して送信された第２投票情報を受信する第２投票情報受信手段」と、「第２投票情報を受信する度に、当該第２投票情報に示される投票に係るデザイン画像に対応付けて、予め設定されたポイント数を前記データベースに登録する第２ポイント登録手段」とにより構成し、これにより「デザイン画像決定手段」が、「第２ポイント登録手段により登録されたポイント数をデザイン画像毎に集計することによりデザイン画像を決定する」よう構成することは、当業者が適宜なし得る設計的事項であり、そのように構成することにも何ら困難性がない。
　以上のとおりであることから、引用例発明に周知事項２と設計的事項とを適用し、もって相違点２に係る事項の構成とすることは、当業者が容易に想到することができたものである。
　　
　　
　以上判断したとおり、本願発明における上記［相違点１］、［相違点２］に係る発明特定事項は、いずれも当業者が容易に想到することができたものであり、上記各相違点を総合しても、想到することが困難な格別の事項は見いだせない。 
　また、本願発明の作用効果も、引用例発明、周知事項１、周知事項２及び設計的事項から当業者が予測できる範囲のものである。  
　　 
５−４．まとめ  
　　  
　したがって、本願発明は、引用例発明、周知事項１、周知事項２及び設計的事項に基づいて、当業者が容易に発明をすることができたものである。  
　  
　  
６．むすび  
　以上のとおり、本願発明は、引用例発明、周知事項１、周知事項２及び設計的事項に基づいて、当業者が容易に発明をすることができたものであり、特許法第２９条第２項の規定により特許を受けることができない。  
　　  
　よって、結論のとおり審決する。